(57)【特許請求の範囲】
【請求項１】
キャリヤ（１）と、前記キャリヤにより確実に支持されるとともにマシンワイヤ（５）の移動方向と略平行に横方向に整列された複数の支持・拭取りストリップ（４）とを含み、前記キャリヤ（１）が、前記支持・拭取りストリップ（４）の両側において該ストリップの伸延方向と略平行に整列された２本の支承ビーム（２，２ａ）と、該ビームの間において該ビームと垂直に交差する方向に伸びるウェブ（３）とを有し、該ウェブ（３）の各々が、少なくとも２つの部品（３１，３２）から成りかつ該支承ビーム（２，２ａ）に対し前記支持・拭取りストリップ（４）を固定している抄紙システムのマシンワイヤのための支持・拭取り装置において、
前記ウェブ（３）と前記支持・拭取りストリップ（４）との間の接続を容易にするため、相互に係合する凹所（３３，３４）と突起（３５，３６）とが該ウェブ（３）と該支持・拭取りストリップ（４）とに各々形成されており、
該ウェブの前記２つの部品（３１，３２）が、該支持・拭取りストリップ（４）を任意の位置でねじ（２１）により２つの前記支承ビーム（２，２a）を介して両側からクランプするために、該ストリップ上に変位自在に位置決めされ、
前記ウェブ（３）が、前記２つの部品の他方（３２）を一方の部品（３１）の両表面を相互に当接しているとともに、該２つの部品の凹所（３３，３４；４３，４４）が前記支持・拭取りストリップ（４）上に相互に整列された時に、一方の側端では一方の部品（３２）が他方の部品（３１）より突出し、他方の側端では他方の部品（３１）が一方の部品（３２）より突出するように相互にオフセットされた状態において配置され、前記支持・拭取りストリップ（４）が前記ウエブの凹所内に挿入されさらに該ウェブの両側端が前記支承ビーム（２，２ａ）を介したねじ（２１）の締め付けにより固定される際、該ウェブの２つの部品（３１，３２）がオフセットを解消するように相互に横方向に変位することで、前記支持・拭取りストリップ（４）と該ウェブ（３）とが相互にクランプされ、
更に、前記ウェブ（３）の一方の部品（３１）が、サイドエッジを有する少なくとも１枚のプレートで形成されるとともに、他方の部品（３２）が、該プレートの両側面を囲繞する二重壁プレートとして形成されておりかつ前記プレートのサイドエッジに対して交互に突出或いは後退する二重壁のサイドエッジを有していることを特徴とするマシンワイヤシステムの支持・拭取り装置。
【請求項２】
前記キャリヤ（１）が、キャリヤフレームとして構成されていることを特徴とする請求項１に記載のマシンワイヤシステムの支持・拭取り装置。
【請求項３】
前記支持・拭取りストリップ（４）が、マシンワイヤ（５）に接触する磨耗ストリップ（４１）を上側に備えたダブテール状の支承ストリップ（４２）で構成され、該支承ストリップが、前記ウェブ（３）の前記２つの部品に形成された凹所（３３，３４）において該ウェブに相互に係合して結合されるように構成されていることを特徴とする請求項１に記載のマシンワイヤシステムの支持・拭取り装置。
【請求項４】
前記支持・拭取りストリップ（４ａ，４ｂ）に溝（４３）が形成され、該溝と嵌合して該拭取りストリップを前記ウェブ（３）に結合するための突起（３５，３６）が、該ウェブ（３）の前記２つの部品（３１ａ，３２）に各々形成されていることを特徴とする請求項１に記載のマシンワイヤシステムの支持・拭取り装置。
【請求項５】
前記支持・拭取りストリップ（４ａ，４ｂ）にリセス（４４）が形成されており、該リセスとウェブ（３ａ）とを嵌合するための突起（３５，３６）が、該ウェブの前記２つの部品に（３１ａ、３２）に各々形成されていることを特徴とする請求項４に記載のマシンワイヤシステムの支持・拭取り装置。
【請求項６】
前記ウェブ（３）の前記２つの部品（３１，３２）の凹所（３３，３４）を画成している互いに対向する側面または前記支持・拭取りストリップ（４ａ）の両側面がアンダーカットされており、それぞれ係合する該支持・拭取りストリップが、自由端に向かって幅広なダブテール状に形成されていることを特徴とする請求項１に記載のマシンワイヤシステムの支持・拭取り装置。
【請求項７】
前記ウェブ（３）の前記２つの部品（３１，３２）の前記凹所（３３，３４）と、前記支持・拭取りストリップ（４ａ）の前記溝（４３）またはリセス（４４）の対向する２つの側面とがアンダーカットされ、それぞれ係合する前記ウェブの該２つの部品の前記突起（３５，３６）が、自由端に向かって幅広に形成されていることを特徴とする請求項４に記載のマシンワイヤシステムの支持・拭取り装置。
【請求項８】
前記ウェブの前記２つの部品（３１，３２）の前記他方（３２）が、Ｕ字形断面を有し、該Ｕ字形断面の底ウェブに前記凹所（３４）および前記突起（３６）が形成されていることを特徴とする請求項１に記載のマシンワイヤシステムの支持・拭取り装置。
【発明の詳細な説明】
【技術分野】
【０００１】
本発明は、抄紙システムのマシンワイヤに対応するとともに、支承フレームなどに確実に配置されてマシンワイヤの移動方向に対して横方向に整列された支持・拭取りストリップを有する支持・拭取り装置に関する。更に詳しくは、本発明は、キャリヤと、前記キャリヤにより確実に支持されるとともにマシンワイヤの移動方向と略平行に横方向に整列された複数の支持・拭取りストリップとを含み、前記キャリヤが、前記支持・拭取りストリップの両側において該ストリップの伸延方向と略平行に整列された２本の支承ビームと、該ビームの間において該ビームと垂直に交差する方向に伸びるウェブとを有し、該ウェブの各々が、少なくとも２つの部品から成りかつ該支承ビームに対し前記支持・拭取りストリップを固定している抄紙システムのマシンワイヤのための支持・拭取り装置に関するものである。
【背景技術】
【０００２】
先行技術によるこのような支持・拭取り装置は、支承フレームなどに固着された支持・拭取りストリップを備える構造である。支持・拭取りストリップは、例えばねじ固定により着脱自在に、あるいは、例えば接着剤による接合つまり接着によりすぐに着脱自在にではなく、支承フレームに固定される。
【０００３】
このような拭取りストリップの支持体には、様々な要求が課せられる。第一に、これらをしっかりと固定するという要件があり、固定が不意に緩む可能性を排除しなければならない。しかし他方では、損傷を受けた後、または磨耗した後には、新しい支持・拭取りストリップと交換できるように支持・拭取りストリップを固定するという要件も存在する。新しいストリップを配置できるようするには、着脱自在に固定すると好都合である。しかし、動作要件に対応して、支持・拭取りストリップをしっかりと、しかしさらに着脱自在に固定するには、支持・拭取りストリップを固定する時とその固定を解除する時の両方で、多大な努力を必要とする。
【発明の開示】
【０００４】
したがって本発明の目的は、従来周知の装置とこの一般的タイプの方法の持つ、上述した短所を克服するとともに、第一に支持・拭取りストリップが動作要件にしたがってしっかりと固定され、動作要件に関係なく、支持・拭取りストリップの固定が簡単な方法で実施および解除できる、スクリーンアセンブリのための支持・拭取り装置を提供することである。
【０００５】
以上、および他の目的を考慮して、本発明によれば、前記ウェブと前記支持・拭取りストリップとの間の接続を容易にするため、相互に係合する凹所と突起とが該ウェブと該支持・拭取りストリップとに各々形成されており、該ウェブの前記２つの部品が、該支持・拭取りストリップを任意の位置でねじにより２つの前記支承ビームを介して両側からクランプするために、該ストリップ上に変位自在に位置決めされ、前記ウェブが、前記２つの部品の他方を一方の部品の両表面に相互に当接しているとともに、該２つの部品の凹所が前記支持・拭取りストリップ上に相互に整列された時に、一方の側端では一方の部品が他方の部品より突出し、他方の側端では他方の部品が一方の部品より突出するように相互にオフセットされた状態において配置され、前記支持・拭取りストリップが前記ウエブの凹所内に挿入されさらに該ウェブの両側端が前記支承ビームを介したねじの締め付けにより固定される際、該ウェブの２つの部品がオフセットを解消するように相互に横方向に変位することで、前記支持・拭取りストリップと該ウェブとが相互にクランプされ、更に、前記ウェブの一方の部品が、サイドエッジを有する少なくとも１枚のプレートで形成されるとともに、他方の部品が、該プレートの両側面を囲繞する二重壁プレートとして形成されておりかつ前記プレートのサイドエッジに対して交互に突出或いは後退する二重壁のサイドエッジを有していることを特徴とするマシンワイヤシステムの支持・拭取り装置が提供される。
【０００６】
言い換えると、支持・拭取りストリップと、平行に整列された２本の支承ビームと、ビームの間に配置されるとともにビームへの固着が可能な２つの部品から構成されるウェブとを有する支承フレーム等によって本発明の目的が達成され、一方ではウェブに、他方では支持・拭取りストリップに、相互に関連する凹所と突起とが形成され、これにより、ウェブと支持・拭取りストリップとが相互に接続され、支承ビームを介した両側からのねじの締め付けによりウェブの２部品を相互に変位させることによってクランプされる。
【０００７】
支承・拭取りストリップには、ウェブの２つの部品に設けられた凹所を介してウェブへの結合を可能にするための支承ストリップが形成されることが望ましい。あるいは、ウェブの２つの部品に設けられた突起を介してウェブへの結合を可能にするための溝を、支持・拭取りストリップに形成することもできる。さらに、ウェブの２つの部品に設けられた突起を介してウェブへの結合を可能にするためのリセスを、支持・拭取りストリップに形成することもできる。
【０００８】
この場合、ウェブの部品の凹所と支持・拭取りストリップの溝またはリセスは対向する２つの側面をアンダーカットされ、それぞれ関連する支持・拭取りストリップの支承ストリップとウェブの２つの部品の突起とは、自由端に向かって幅広となるように設計される。
【０００９】
さらに、上記した本発明の構成によれば、ウェブの２つの部品は相互に当接して、その凹所と突起とは端面に関して相互にオフセットし、その結果、ウェブが２本の支承ビームに固定されてウェブの２つの部品が相互に変位した結果、相互に結合された支持・拭取りストリップとウェブとがクランプされる。
【００１０】
その上、ウェブの２つの部品の一方は、サイドエッジの一方に沿って凹所と突起とが連続して形成されたプレートとして形成され、ウェブの２つの部品の他方は、一方の部品であるプレートの外側の両表面を囲繞するとともに、一方の部品の凹所および突起に対応する凹所および突起がサイドエッジの一方に沿って同様に形成された二重壁プレートとして形成される。すなわちこの場合、ウェブの第２部品はＵ字形断面であり、ウェブの範囲に凹所と突起とが形成されているのである。
【００１１】
本発明に特有であると考えられる他の特徴は、添付された請求項に記載される。
【００１２】
マシンワイヤシステムの支持・拭取り装置に具現されたものとして本発明をここに図示および説明するが、それでも、本発明の趣旨を逸脱せずに、請求項の均等物の範囲内で、様々な変形および構造的変更を行ってもよいので、示された詳細に限定する意図はない。
【００１３】
しかし、本発明の構造と動作方法は、付加的な目的および長所とともに、特定実施例についての以下の説明を添付図面に関連して読んだ時に、最も良く理解されるだろう。
【発明を実施するための最良の形態】
【００１４】
さて、図面の図を詳細に、特に最初は図１と２を参照すると、抄紙システムに使用するための、本発明による支持・拭取り装置が図示されている。抄紙機はマシンワイヤを含み、マシンワイヤは支持・拭取りストリップの表面上を移動する。支持・拭取り装置は、支持・拭取りストリップ４のためのフレーム状キャリヤ１を有する。支持・拭取りストリップ４は、上側に磨耗ストリップ４１を備える。下側には、ダブテール状の支承ストリップ４２が形成されている。キャリヤ１は、拭取りストリップ４に対して平行に整列された２本の支承ビーム２，２ａを含み、支承ビームは、ねじ２１によってウェブ３にねじ止めされることにより、支承ビームに対して横方向に整列されたウェブ３によって相互に接続されている。
【００１５】
ウェブ３の各々は、凹所３３，３４、この場合、上側エッジに間隔を置いて３箇所アンダーカットされた凹所３３，３４が各々形成された２つの部品３１，３２を含む。そのため、支持・拭取りストリップ４の支承ストリップ４２を相互に関連するこれらの凹所３３，３４に挿入することが可能である。ウェブ部品３１にはさらに、ねじ２１に対応する穴３７が形成されている。
【００１６】
また、図２Ａに図示されているのは、支持・拭取りストリップ４の上を案内されるマシンワイヤ５である。
【００１７】
図３には、図１と比べて拡大された尺度で、２つのウェブ部品３１，３２が図示されている。
【００１８】
図４と４Ａからさらに分かるように、ウェブ部品３１，３２に設けられた凹所３３，３４は、凹所３３，３４が相互に整列された時に、一方の側端面ではウェブ部品３２がウェブ部品３１より突出し、他方の側端面ではウェブ部品３１がウェブ部品３２より突出するように若干オフセットされている。支持・拭取りストリップ４が凹所３３，３４に挿入されるとすぐに、２つのウェブ部品３１，３２はこの相互位置を取る。凹所３３，３４は、支持・拭取りストリップ４が遊びをもって凹所３３，３４内で変位し、ゆえに大きな抵抗を生じないような寸法を持つ。
【００１９】
支持・拭取りストリップ４が確実に固着されるとすぐに、ねじ２１が穴３７にねじ止めされる。このようにして、２本の支承ビーム２，２ａが２つのウェブ部品３１，３２の相互にオフセットした側端面と接触し、その結果、ウェブ部品３１，３２が相互に横方向に変位するのである。このようにして、２つのウェブ部品３１，３２の凹所３３，３４のサイドエッジが相互に変位し、その結果、凹所に位置する支持・拭取りストリップ４が確実にクランプされるのである。このクランプのためには、ウェブ部品３１，３２に位置する凹所３３，３４のサイドエッジが相互に若干オフセットしていれば充分である。この点に関して、この動作の様子を示すために、図４と４ａではこのオフセットが誇張されて描かれている。
【００２０】
図５から分かるように、支持・拭取りストリップ４ａには長形の間隙つまり溝４３が形成され、ウェブ部品３１ａ，３２の上側エッジには、溝４３に対応する相互に一致する突起３５，３６が形成されている。この場合、溝４３により、支持・拭取りストリップ４ａが遊びをもって突起３５，３６の上で変位でき、その結果、支持・拭取りストリップ４ａがウェブ３ａに結合される。このプロセスにおいて、やはりウェブ部品３１ａ，３２の端面は相互に若干オフセットしている。
【００２１】
これに代わるものとして、突起３５，３６に対応するとともに、支持・拭取りストリップ４ｂをウェブ３ａに配置することによりウェブに結合させるためのリセス４４が、支持・拭取りストリップ４ｂに形成されることも可能である。支持・拭取りストリップ４ａ，４ｂのしっかりとした固定は、同様に、長手方向ビーム２，２ａを２つのウェブ部品３１ａ，３２へ接続した結果、ウェブ部品３１ａ，３２が相互に横方向に変位することにより実施され、これは、突起３５，３６が溝４３またはリセス４４内にクランプされることを意味する。
【産業上の利用可能性】
【００２２】
こうして説明した本発明は、支持・拭取りストリップが最初にキャリヤへしっかりと固定されるが、これとは無関係に、数本のねじを回すことによって支持・拭取りストリップの固定を実施および解除することのできる支持・拭取り装置を提供する。これは、破損した支持・拭取りストリップの交換をかなり単純にする。
【図面の簡単な説明】
【００２３】
【図１】本発明による支持・拭取り装置を示す展開軸測投影図である。
【図２】図１による支持・拭取り装置を示す軸測投影図である。
【図２Ａ】図２の装置を示す側面図である。
【図３】図１と比べて拡大して描かれた、図２による構成部品を示す展開軸測投影図である。
【図４】図３による構成部品を示す軸測投影図である。
【図４Ａ】図３による構成部品を示す別の軸測投影図である。
【図５】本発明による支持・拭取り装置の構成部品の代替実施例を示す軸測投影図である。
【符号の説明】
【００２４】
１  フレーム状キャリヤ
２，２ａ  支承ビーム
２１  ねじ
３，３ａ  ウェブ
３１，３２，３１ａ  部品
３３，３４  凹所
３５，３６  突起
３７  穴
４，４ａ，４ｂ  支持・拭取りストリップ
４１  磨耗ストリップ
４２  支承ストリップ
４３  溝
４４  リセス
５  マシンワイヤ
【図１】
0004115948.tif 000002
【図２】
0004115948.tif 000003
【図２Ａ】
0004115948.tif 000004
【図３】
0004115948.tif 000005
【図４】
0004115948.tif 000006
【図４Ａ】
0004115948.tif 000007
【図５】
0004115948.tif 000008